(57)【特許請求の範囲】
【請求項１】
ケーブルアセンブリであって、前記ケーブルアセンブリは、
第１の電気ワイヤと、
第２の電気ワイヤと、
前記第１の電気ワイヤの周りおよび前記第２の電気ワイヤの周りに成形された耐熱材料と、
前記第１の電気ワイヤおよび前記第２の電気ワイヤの耐熱材料に対して成形されたジッパーの歯であって、前記第１の電気ワイヤに対して成形されたジッパーの歯は、前記第２の電気ワイヤに対して成形されたジッパーの歯に対して解放可能に取り付けられている、ジッパーの歯と、
少なくとも１つの強化繊維であって、前記少なくとも１つの強化繊維は、前記第１の電気ワイヤおよび前記第２の電気ワイヤのうちの少なくとも１つによってカプセル化されている、強化繊維と
を含む、ケーブルアセンブリ。
【請求項２】
前記ジッパーの歯は、射出成形で生成され、
前記ケーブルアセンブリは、ヘッドホンアセンブリであり、前記第１のワイヤおよび前記第２のワイヤは、ジャックからヘッドホンまでオーディオ音を伝送するように構成される、請求項１に記載のケーブルアセンブリ。
【請求項３】
前記第１の電気ワイヤおよび前記第２の電気ワイヤの外側表面は、伸加工糸および編組ナイロンのうちの少なくとも１つを含む、請求項１に記載のケーブルアセンブリ。
【請求項４】
前記ジッパーの歯は、熱可塑性である、請求項１に記載のケーブルアセンブリ。
【請求項５】
前記少なくとも１つの強化繊維は、アラミドを含む、請求項１に記載のケーブルアセンブリ。
【請求項６】
前記少なくとも１つの強化繊維は、Ｋｅｖｌａｒを含む、請求項１に記載のケーブルアセンブリ。
【請求項７】
前記ケーブルアセンブリは、前記ジャックから前記ヘッドホンまでの最大１５ｋｇのトルクに耐えることができる、請求項２に記載のケーブルアセンブリ。
【請求項８】
前記ケーブルアセンブリは、ジッパースライダが前記ジッパーの歯の底部から滑り落ちることを防ぐのを助けるストップをさらに含み、前記ストップは、前記第１の電気ワイヤおよび前記第２の電気ワイヤに取り付けられる、請求項１に記載のケーブルアセンブリ。
【請求項９】
ケーブルアセンブリを製造する方法であって、
前記方法は、
射出成形により個々にカプセル化された第１の電気ワイヤおよび第２の電気ワイヤと、前記第１の電気ワイヤおよび前記第２の電気ワイヤの外側の耐熱材料を含む外層と、前記第１の電気ワイヤおよび前記第２の電気ワイヤの外層が互いに解放可能に取り付け可能であるような前記第１の電気ワイヤおよび前記第２の電気ワイヤの外層への解放可能な取り付けのための取付装置と、前記第１の電気ワイヤおよび前記第２の電気ワイヤを個々にカプセル化する射出成形内に位置する１つ以上の強化繊維とを提供することを含む、方法。
【請求項１０】
前記ケーブルアセンブリは、ヘッドホンアセンブリであり、前記第１のワイヤおよび前記第２のワイヤは、ジャックからヘッドホンまでオーディオ音を伝送するように構成される、請求項９に記載の方法。
【請求項１１】
前記耐熱材料は、伸加工糸および編組ナイロンのうちの少なくとも１つを含む、請求項１０に記載の方法。
【請求項１２】
前記取付装置は、熱可塑性ジッパーを含む、請求項９に記載の方法。
【請求項１３】
前記第１のワイヤおよび前記第２のワイヤは、前記外層の下に位置する耐熱およびエラストマーの性質を有する内層内に個々にカプセル化される、請求項９に記載の方法。
【請求項１４】
ストップが、ジッパースライダが前記ジッパーの底部から滑り落ちることを防ぐために用いられ、前記ストップは、前記第１の電気ワイヤおよび前記第２の電気ワイヤの両方に取り付けられる、請求項１２に記載の方法。
【請求項１５】
前記ケーブルアセンブリは、前記ジャックから前記ヘッドホンまでの最大１５ｋｇのトルクに耐えることができる、請求項１０に記載の方法。
【請求項１６】
前記１つ以上の強化繊維は、アラミドおよびＫｅｖｌａｒのうちの少なくとも１つを含む、請求項９に記載の方法。
【請求項１７】
音量コントロールが、前記第１の電気ワイヤおよび前記第２の電気ワイヤのうちの少なくとも１つに取り付けられる、請求項１０に記載の方法。
【請求項１８】
ケーブルアセンブリであって、前記ケーブルアセンブリは、
第１の電気ワイヤと、
第２の電気ワイヤと、
前記第１の電気ワイヤの周りおよび前記第２の電気ワイヤの周りに成形された耐熱材料と、
前記第１の電気ワイヤおよび前記第２の電気ワイヤの耐熱材料に対して成形されたジッパーの歯であって、前記第１の電気ワイヤに対して成形されたジッパーの歯は、前記第２の電気ワイヤに対して成形されたジッパーの歯に対してジッパースライダーを介して解放可能に取り付けられている、ジッパーの歯と、
第１の強化繊維および第２の強化繊維を含む少なくとも２つの強化繊維であって、前記第１の強化繊維は、前記第１の電気ワイヤによってカプセル化されており、前記第２の強化繊維は、前記第２の電気ワイヤによってカプセル化されている、強化繊維と、
前記ジッパースライダが前記ジッパーの歯の底部から滑り落ちることを防ぐために用いられるストップであって、前記ストップは、前記第１の電気ワイヤおよび前記第２の電気ワイヤに取り付けられており、前記ケーブルアセンブリは、ヘッドホンアセンブリであり、前記第１の電気ワイヤおよび前記第２の電気ワイヤは、ジャックからヘッドホンまでオーディオ音を伝送するように構成されている、ストップと
を含む、ケーブルアセンブリ。
【請求項１９】
前記第１の電気ワイヤおよび前記第２の電気ワイヤのうちの少なくとも１つに取り付けられた音量コントロールをさらに備える、請求項１８に記載のケーブルアセンブリ。
【発明の詳細な説明】
【技術分野】
【０００１】
（関連出願への相互参照）
本出願は、２０１１年７月２２日に出願した「Ｚｉｐｐｅｒｅｄ  Ｅａｒｐｈｏｎｅｓ」という名称の米国特許出願第２９／３９７，９２２号に対する同時係属出願の一部継続であり、２０１０年１１月８日に出願した「Ｃａｂｌｅ  Ｏｒｇａｎｉｚａｔｉｏｎ  Ａｓｓｅｍｂｌｉｅｓ」という名称の同時係属の米国特許出願第１２／９４１，９４３号の一部継続である。本出願が優先権を主張する上記全出願は、全体として本明細書において参照することによって援用される。
【０００２】
（技術分野）
本明細書に説明される本発明は、ケーブルが互いに絡まったようになることを防ぐように構成されるアセンブリに関する。いくつかのインプリメンテーションは、互いに解放可能な取り付け／連結が可能であるように構成される２つ以上のケーブルに関する。いくつかのインプリメンテーションは、ヘッドホンワイヤおよびステレオスピーカワイヤのようなオーディオワイヤ、さらに他の適切なケーブルの絡みを防ぐために使用され得る。
【背景技術】
【０００３】
（背景）
多種多様の電子デバイスは、複数の接続ワイヤおよびケーブルを用いて使用されるように設計される。共通の例は、ヘッドホンジャックを有し、またはスピーカワイヤのためのポートを有するオーディオまたはビデオプレーヤーを含む。ユーザーにとって共通の問題は、これらのケーブルがしばしば互いに絡まったようになることである。例えば、左のヘッドホンワイヤと右のヘッドホンワイヤは、特に、耳差込型のヘッドホンにおいて、容易に結び付きになり、結節になる。さらに、ステレオスピーカワイヤは、通常に１対で構成され、またそれら自身または他のワイヤと絡まったようになり得る。
【発明の概要】
【発明が解決しようとする課題】
【０００４】
従って、絡みを防ぐための手段を含み、簡単にケーブルに対するジッパーの組み込みまたは他の解放可能な接続手段を可能にするケーブルアセンブリを提供するニーズがある。
【課題を解決するための手段】
【０００５】
（要約）
本発明は、少なくとも第１のワイヤと第２のワイヤとを含むケーブルアセンブリに関する。各ワイヤは、射出成形を用いて、それぞれの耐熱材料の層によって封入される。射出成形の間に、第１のワイヤおよび第２のワイヤは、第１のワイヤおよび第２のワイヤのうちの少なくとも１つのキンクを避けるように実質的にまっすぐに保たれ、ワイヤが曲げられ、角度を付けられ、丸く、波状等である場合（すなわち、ワイヤが実質的にまっすぐではない）場合に、成形の後に展開し得る。第１のワイヤおよび第２のワイヤに関連する張りは、所定の範囲内または所定の閾値以下に保たれる。所定の範囲／閾値は、射出成形に関連する温度に依存する。射出成形は、ジッパー構造または第２のワイヤへの第１のワイヤの解放可能な取り付けを可能にする他の取り付けデバイスを提供し得、それにより、ジップ構造は、ユーザーによって使用される場合に、第１のワイヤと第２のワイヤとの絡みを防ぐために、一緒に締められ得、離れるように開けられ得る。ケーブルアセンブリは、異なるスタイル、タイプ、および色の解放可能なファスナーを組み込み得る。
【０００６】
１つの側面において、ケーブルアセンブリが提供される。ケーブルアセンブリは、耐熱材料を含む第１の外層によってカプセル化された第１のワイヤと、耐熱材料を含む第２の外層によってカプセル化された第２のワイヤとを含み、第１の外層および第２の外層の各々は、第２のワイヤへの第１のワイヤの解放可能な取り付けを可能にする取り付けデバイスを含む。第１のワイヤは、射出成形で第１の外層によってカプセル化され、第２のワイヤは、射出成形で第２の外層によってカプセル化される。第１のワイヤおよび第２のワイヤは、射出成形の間に、実質的にまっすぐに保たれると同時に、第１のワイヤおよび第２のワイヤに関連する張力は、射出成形の間に、所定の範囲内にとどまる。張力は、少なくとも張力計および負荷セルのうちの１つを用いて決定される。所定の範囲は、射出成形に関連する温度に基づく。第１のワイヤおよび第２のワイヤは、第１のワイヤおよび第２のワイヤを介して伝送されたオーディオ信号に関連するノイズを最小限にするように構成される。ケーブルアセンブリは、ジャックと、１つ以上のヘッドホンとをさらに含み、第１のワイヤおよび第２のワイヤは、ジャックを、それぞれの１つ以上のヘッドホンと接続し、第１のワイヤおよび第２のワイヤは、ジャックから１つ以上のヘッドホンまでオーディオ信号を伝送するように構成される。ケーブルアセンブリは、１つの衣料品内に組み込まれ、第１のワイヤおよび第２のワイヤは、解放可能な機構を用いることによって、１つの衣料品から少なくとも１つ以上のヘッドホンを分離することが可能である。ジャックは、ケーブルアセンブリに関連し、ジャックは、１つの衣料品のポケット内に位置決めされる。耐熱材料は、少なくとも伸加工糸および編組ナイロンのうちの１つを含み、解放可能な取り付けは、補完的な熱可塑性ジッパーの歯を含み、第１のワイヤおよび第２のワイヤは、外層の下に位置決めされる内層内に個々にカプセル化され、内層は、耐熱およびエラストマーの性質に関連し、内層は、熱可塑性エラストマーを含む。
【０００７】
もう１つの側面において、ケーブルアセンブリを形成する方法が提供される。方法は、耐熱材料を含む対応する外層によって封入された第１のワイヤおよび第２のワイヤを提供することと、外層が、第２のワイヤへの第１のワイヤの解放可能な取り付けが可能であるように、第１のワイヤおよび第２のワイヤの外層を解放可能に取り付けること（本明細書において、「解放可能に取り付けること」が解放可能な取り付けを指す）とを含む。第１のワイヤは、射出成形で外層のうちの第１の外層によって封入され、第２のワイヤは、射出成形で外層のうちの第２の外層によって封入される。第１のワイヤおよび第２のワイヤは、射出成形の間に、実質的にまっすぐに保たれると同時に、第１のワイヤおよび第２のワイヤに関連する張力は、射出成形の間に、所定の範囲内にとどまる。少なくとも張力計および負荷セルのうちの１つは、張力を決定するために使用される。所定の範囲は、射出成形に関連する温度に基づく。第１のワイヤおよび第２のワイヤは、第１のワイヤおよび第２のワイヤを介して伝送されたオーディオ信号に関連するノイズを最小限にするように構成される。方法は、ケーブルアセンブリを１つの衣料品内に組み込むことであって、ケーブルアセンブリは、ジャックに関連する、ことと、１つの衣料品のポケット内にジャックを位置決めすることとをさらに含む。
【０００８】
もう１つの側面において、少なくとも２つのケーブルを含むイヤホンケーブルアセンブリを製造する方法が提供される。方法は、少なくとも２つの製造されたケーブルに１つ以上のキンクを避けるために、少なくとも２つのケーブルを実質的にまっすぐに保持することと、少なくとも２つのケーブル上にジッパーの歯を射出するために、射出成形を行うことと、射出されたジッパーの歯から余分の成形を除去することと含む。方法は、ジッパーの歯を、外向きの位置から内向きの位置まで回転することをさらに含み、それにより、回転の後に、ジッパーの歯の遠位端は、内側に向いて指し、歯のそれぞれの部分を特徴付ける遠位端が切られ、その結果、余分の成形が除去され、回転は、ジッパーの歯を一緒に締め、締められたジッパーの歯を離れるように開けることを可能にする。少なくとも２つのケーブルを実質的にまっすぐに保持する、少なくとも２つのケーブルに関連する張りは、閾値以下に維持され、閾値は、射出成形に関連する成形温度に依存し、張りは、少なくとも張力計および負荷セルのうちの１つによって測定される。方法は、イヤホンケーブルアセンブリを１つの衣料品内に組み込むことであって、第１のワイヤおよび第２のワイヤは、解放可能な機構を用いることによって、少なくとも１つ以上のヘッドホンから分離されることが可能であり、イヤホンケーブルアセンブリは、ジャックに関連する、ことと、１つの衣料品のポケット内にジャックを位置決めすることとをさらに含む。
【０００９】
例えば、本発明は、以下の項目を提供する。
（項目１）
ケーブルアセンブリであって、該ケーブルアセンブリは、
耐熱材料を含む第１の外層によってカプセル化された第１のワイヤと、
耐熱材料を含む第２の外層によってカプセル化された第２のワイヤと
を含み、
該第１の外層および該第２の外層の各々は、該第２のワイヤへの該第１のワイヤの解放可能な取り付けを可能にする取り付けデバイスを含む、ケーブルアセンブリ。
（項目２）
上記第１のワイヤは、射出成形で上記第１の外層によってカプセル化され、上記第２のワイヤは、射出成形で上記第２の外層によってカプセル化される、上記項目のいずれかに記載のケーブルアセンブリ。
（項目３）
上記第１のワイヤおよび上記第２のワイヤは、上記射出成形の間に、実質的にまっすぐに保たれると同時に、該第１のワイヤおよび該第２のワイヤに関連する張力は、該射出成形の間に、所定の範囲内にとどまる、上記項目のいずれかに記載のケーブルアセンブリ。
（項目４）
上記張力は、少なくとも張力計および負荷セルのうちの１つを用いて決定される、上記項目のいずれかに記載のケーブルアセンブリ。
（項目５）
上記所定の範囲は、上記射出成形に関連する温度に基づく、上記項目のいずれかに記載のケーブルアセンブリ。
（項目６）
上記第１のワイヤおよび上記第２のワイヤは、該第１のワイヤおよび該第２のワイヤを介して伝送されたオーディオ信号に関連するノイズを最小限にするように構成される、上記項目のいずれかに記載のケーブルアセンブリ。
（項目７）
上記ケーブルアセンブリは、ジャックと、１つ以上のヘッドホンとをさらに含み、上記第１のワイヤおよび上記第２のワイヤは、該ジャックを、それぞれの１つ以上のヘッドホンと接続し、該第１のワイヤおよび該第２のワイヤは、該ジャックから該１つ以上のヘッドホンまでオーディオ信号を伝送するように構成される、上記項目のいずれかに記載のケーブルアセンブリ。
（項目８）
上記ケーブルアセンブリは、１つの衣料品内に組み込まれ、上記第１のワイヤおよび上記第２のワイヤは、解放可能な機構を用いることによって、該１つの衣料品から少なくとも上記１つ以上のヘッドホンを分離することが可能である、上記項目のいずれかに記載のケーブルアセンブリ。
（項目９）
ジャックは、上記ケーブルアセンブリに関連し、該ジャックは、上記１つの衣料品のポケット内に位置決めされる、上記項目のいずれかに記載のケーブルアセンブリ。
（項目１０）
上記耐熱材料は、少なくとも伸加工糸および編組ナイロンのうちの１つを含み、
解放可能な取り付けは、補完的な熱可塑性ジッパーの歯を含み、
上記第１のワイヤおよび上記第２のワイヤは、上記外層の下に位置決めされる内層内に個々にカプセル化され、該内層は、耐熱およびエラストマーの性質に関連し、該内層は、熱可塑性エラストマーを含む、上記項目のいずれかに記載のケーブルアセンブリ。
（項目１１）
ケーブルアセンブリを形成する方法であって、該方法は、
耐熱材料を含む対応する外層によって封入された第１のワイヤおよび第２のワイヤを提供することと、
該外層が、該第２のワイヤへの該第１のワイヤの解放可能な取り付けが可能であるように、該第１のワイヤおよび該第２のワイヤの該外層を解放可能に取り付けることと
を含む、方法。
（項目１２）
上記第１のワイヤは、射出成形で上記外層のうちの第１の外層によって封入され、上記第２のワイヤは、射出成形で該外層のうちの第２の外層によって封入される、上記項目のいずれかに記載の方法。
（項目１３）
上記第１のワイヤおよび上記第２のワイヤは、上記射出成形の間に、実質的にまっすぐに保たれると同時に、該第１のワイヤおよび該第２のワイヤに関連する張力は、該射出成形の間に、所定の範囲内にとどまる、上記項目のいずれかに記載の方法。
（項目１４）
少なくとも張力計および負荷セルのうちの１つは、上記張力を決定するために使用される、上記項目のいずれかに記載の方法。
（項目１５）
上記所定の範囲は、上記射出成形に関連する温度に基づく、上記項目のいずれかに記載の方法。
（項目１６）
上記第１のワイヤおよび上記第２のワイヤは、該第１のワイヤおよび該第２のワイヤを介して伝送されたオーディオ信号に関連するノイズを最小限にするように構成される、上記項目のいずれかに記載の方法。
（項目１７）
上記方法は、
上記ケーブルアセンブリを１つの衣料品内に組み込むことであって、該ケーブルアセンブリは、ジャックに関連する、ことと、
該１つの衣料品のポケット内に該ジャックを位置決めすることと
をさらに含む、上記項目のいずれかに記載の方法。
（項目１８）
少なくとも２つのケーブルを含むイヤホンケーブルアセンブリを製造する方法であって、該方法は、
該少なくとも２つの製造されたケーブルに１つ以上のキンクを避けるために、該少なくとも２つのケーブルを実質的にまっすぐに保持することと、
該少なくとも２つのケーブル上にジッパーの歯を射出するために、射出成形を行うことと、
該射出されたジッパーの歯から余分の成形を除去することと
含む、方法。
（項目１９）
上記方法は、上記ジッパーの歯を、外向きの位置から内向きの位置まで回転することをさらに含み、それにより、該回転の後に、該ジッパーの歯の遠位端は、内側に向いて指し、歯のそれぞれの部分を特徴付ける該遠位端が切られ、その結果、上記余分の成形が除去され、該回転は、該ジッパーの歯を一緒に締め、該締められたジッパーの歯を離れるように開けることを可能にする、上記項目のいずれかに記載の方法。
（項目２０）
上記少なくとも２つのケーブルを実質的にまっすぐに保持する、該少なくとも２つのケーブルに関連する張りは、閾値以下に維持され、該閾値は、上記射出成形に関連する成形温度に依存し、
該張りは、少なくとも張力計および負荷セルのうちの１つによって測定される、上記項目のいずれかに記載の方法。
（項目２１）
上記方法は、
上記イヤホンケーブルアセンブリを１つの衣料品内に組み込むことであって、第１のワイヤおよび第２のワイヤは、解放可能な機構を用いることによって、少なくとも１つ以上のヘッドホンから分離されることが可能であり、該イヤホンケーブルアセンブリは、ジャックに関連する、ことと、
１つの衣料品のポケット内に該ジャックを位置決めすることと
をさらに含む、上記項目のいずれかに記載の方法。
【００１０】
（摘要）
少なくとも第１のワイヤと第２のワイヤとを含むケーブルアセンブリが提供される。ワイヤは、射出成形を用いて、それぞれの耐熱材料の層によって封入される。射出成形の間に、第１のワイヤおよび第２のワイヤは、第１のワイヤおよび第２のワイヤのうちの少なくとも１つのキンクを避けるように実質的にまっすぐに保たれ、ワイヤが実質的にまっすぐではない場合に、成形の後に展開し得る。第１のワイヤおよび第２のワイヤに関連する張りは、所定の範囲内または所定の閾値以下に保たれる。所定の範囲／閾値は、射出成形に関連する温度に依存する。射出成形は、ワイヤの上にジップ構造を提供し得、それにより、ジップ構造は、ユーザーによって使用される場合に、ワイヤの絡みを防ぐために、一緒に締められ得、離れるように開けられ得る。
【図面の簡単な説明】
【００１１】
【図１】図１は、本発明のいくつかのインプリメンテーションに従う第１のジッパーイヤホンケーブルアセンブリの透視図を例示する。
【図２】図２は、本発明のいくつかのインプリメンテーションに従う第１のジッパーイヤホンケーブルアセンブリの２つのケーブルの断面図を例示する。
【図３】図３は、本発明のいくつかのインプリメンテーションに従う使用時のジッパーイヤホンケーブルアセンブリを示す透視図を例示する。
【図４】図４は、本発明のいくつかのインプリメンテーションに従う第２の代替的なジッパーイヤホンケーブルアセンブリの透視図を例示する。
【図５】図５は、本発明のいくつかのインプリメンテーションに従う第２の代替的なジッパーイヤホンケーブルアセンブリの拡大図を例示する。
【図６ａ】図６ａは、本発明のいくつかのインプリメンテーションに従う閉じたケーブルアセンブリを例示し、閉じたケーブルアセンブリは、その圧縮された長さの２倍に開き得る。
【図６ｂ】図６ｂは、本発明のいくつかのインプリメンテーションに従う開いたケーブルアセンブリを例示し、開いたケーブルアセンブリは、その閉じた構成の長さの２倍に拡張される。
【図７ａ】図７ａは、本発明のいくつかのインプリメンテーションに従う閉じたケーブルアセンブリを例示し、閉じたケーブルアセンブリは、その長さの３倍に開き得る。
【図７ｂ】図７ｂは、本発明のいくつかのインプリメンテーションに従う部分的に開いたケーブルアセンブリを例示する。
【図７ｃ】図７ｃは、本発明のいくつかのインプリメンテーションに従う完全に開いたケーブルアセンブリを例示し、開いたケーブルアセンブリは、その閉じた構成の長さの３倍に拡張される。
【図８】図８は、本発明のいくつかのインプリメンテーションに従って、解放可能なファスナーとして磁石を利用するイヤホンケーブルアセンブリの透視図を例示する。
【図９】図９は、本発明のいくつかのインプリメンテーションに従う第３のジッパーイヤホンケーブルアセンブリの透視図を例示する。
【図１０】図１０は、本発明のいくつかのインプリメンテーションに従うジッパーイヤホンケーブルアセンブリの代表的な耳差込を例示する。
【図１１】図１１は、本発明のいくつかのインプリメンテーションに従う第３のジッパーイヤホンケーブルアセンブリの拡大図を例示する。
【図１２】図１２は、本発明のいくつかのインプリメンテーションに従って型に配置される２つのイヤホンケーブルの正面図を例示する。
【図１３】図１３は、本発明のいくつかのインプリメンテーションに従って２つのケーブル上の射出成形されたジッパーの歯および余分の成形の正面図を例示する。
【図１４】図１４は、本発明のいくつかのインプリメンテーションに従ってジッパーの歯から切り離された余分の成形の正面図を例示する。
【図１５】図１５は、本発明のいくつかのインプリメンテーションに従って１８０度で回転されたジッパーの歯を示す正面図を例示する。
【図１６】図１６は、本発明のいくつかのインプリメンテーションに従って一緒に締められたジッパーの歯を示す正面図を例示する。
【図１７】図１７は、本発明のいくつかのインプリメンテーションに従って同じの２つのケーブル上に射出成形された複数のジッパーの歯のユニットの透視図を例示する。
【図１８】図１８は、本発明のいくつかのインプリメンテーションに従うジッパーユニットの下に配置されるジッパー底部を例示する。
【図１９】図１９は、本発明のいくつかのインプリメンテーションに従う第３のジッパーイヤホンケーブルアセンブリのケーブルの断面図を例示する。
【発明を実施するための形態】
【００１２】
さまざまな図面において同様の参照記号は、同様の構成要素を示す。
【００１３】
（詳細な説明）
本明細書に説明されるように、ケーブルアセンブリは、解放可能な取り付けが可能である少なくとも２つのケーブル（例えば、ケーブル８０ａおよび８０ｂ）を含み得る。２つのケーブルが説明されるが、２つより多い（例えば、３、４、５、６、７、８、９、１０以上の）ケーブルが使用され得る。
【００１４】
イヤホンケーブルアセンブリ
図１は、本発明のいくつかのインプリメンテーションに従う第１のジッパーイヤホンケーブルアセンブリ１００の透視図を例示する。第１のジッパーイヤホンケーブルアセンブリ１００は、第１のケーブル８０ａおよび第２のケーブル８０ｂを含み、第１のケーブル８０ａおよび第２のケーブル８０ｂは、第１のケーブル８０ａと第２のケーブル８０ｂとの間の解放可能な取り付けのための取り付けデバイス（例えば、ジッパー）を含む。各ケーブル８０ａと８０ｂは、動作可能に、第１の端部においてイヤホン１０ａと１０ｂに連結され得、もう一方の端部においてオーディオ再生デバイスへの接続に対する適切なヘッドホンジャック９０に連結され得る。ヘッドホンジャックは、６．３５ｍｍジャック、３．５ｍｍミニチュアジャック、２．５ｍｍサブミニチュアジャック等のような任意の適切なジャックであり得る。
【００１５】
より具体的に、２つのケーブル８０ａと８０ｂの各々は、ゴムまたは他の柔軟性のある材料で作られ得る外層または外側被覆６０ａと６０ｂを含み得、外層または外側被覆６０ａと６０ｂは、鋳型または射出成形等のような任意の適切な方法を用いて組み込まれ得る。外側被覆６０ａおよび６０ｂが、簡単にワイヤをカプセル化し得る／封入し得る／覆い得るので、外側被覆６０ａおよび６０ｂは、本明細書においてアセンブリを製造するのに対してより簡単にさせ得る。外側被覆のための他の適切な柔軟性のある材料は、織物、プラスチック、およびフォームを含み得る。
【００１６】
図２は、本発明のいくつかのインプリメンテーションに従う第１のジッパーイヤホンケーブルアセンブリ１００の２つのケーブル８０ａおよび８０ｂの断面図を例示する。図２の断面図に示されるように、外層６０ａと６０ｂは、ヘッドホンワイヤ１３０ａと１３０ｂ、およびヘッドホンワイヤキャスティング１２０ａと１２０ｂの上に重ねられ得る。
【００１７】
ヘッドホンワイヤ１３０ａと１３０ｂは、オーディオが伝送され得るように、ジャック９０を用いてイヤホン１０ａと１０ｂに動作可能に連結し得る。ケーブル８０ａおよび８０ｂの全体の長さの主要な部分は、一緒に解放可能な取り付けのための手段、例えば、ジッパーを含み得る。ケーブル８０ａと８０ｂは、ケーブル８０ａと８０ｂが一緒に締められ、ジッパータブ５０または滑りのための他の手段を用いて開けられることを可能にし得る、内側に向かって面する補完的なジッパーの歯４０ａと４０ｂに連結され得る。代替的には、ＺＩＰＬＯＣ（登録商標）型または他の類似な閉鎖が使用され得る。
【００１８】
いくつかのインプリメンテーションにおいて、解放可能な取り付けのための手段（例えば、ジッパー、磁石等）は、ストップ７０またはジャック９０からイヤホン１０ａと１０ｂまで測定されるようなケーブル８０ａと８０ｂの全体の長さの一部分を横切り得る。この部分的な横断（すなわち、全体の長さの一部分の横断）は、ジッパーの歯４０ａおよび４０ｂがユーザーの顔かまたは頸を痛ましく接触し、またはつまむことを防ぐので、有益である。この痛ましい接触またはつまみを防ぐために、アセンブリ１００はさらに、歯のない部分２０ａおよび２０ｂを含み得る。代替的には、外側被覆は、イヤホン１０ａと１０ｂの前に（例えば、部分３０ａと３０ｂにおいて）簡単に終了し得、ヘッドホンワイヤのキャスティング１２０ａと１２０ｂは、その全体の長さの一部分に対して簡単に露出され得る。
【００１９】
オプションなインプリメンテーションにおいて、外層６０ａと６０ｂは、リブ１１０ａと１１０ｂを含み得る。リブ１１０ａと１１０ｂは、外側の成形６０ａと６０ｂの長さに沿って突出部および凹所を特徴付け得る／提供し得る。リブ１１０ａと１１０ｂは、取り外された／減少された材料を特徴付けし得、それによって、外側被覆６０ａと６０ｂから重量を減少し、アセンブリ１００のよりよい操作を可能にする。それゆえに、リブ１１０ａおよび１１０ｂの含みは、よりよい柔軟性および重量削減を達成するために使用され得る。
【００２０】
ケーブル８０ａと８０ｂは、解放可能な接続（例えば、ジッパー）２０ａと２０ｂのための手段を有しないリブのない部分を含み得、具体的な設計目標に依存して、解放可能な取り付けのための手段を欠くリブ部分３０ａと３０ｂを含み得る。いくつかのインプリメンテーションにおいて、外層６０ａと６０ｂを構成する材料は、歯のない部分２０ａと２０ｂのために使用され得、ストップ７０のために使用され得る。
【００２１】
ジッパーの底部端は、ジッパーを止めるための手段を含み得、その結果、ケーブル８０ａおよび８０ｂは、係合に残る（すなわち、その結果、ケーブル８０ａおよび８０ｂは、完全に係合解除にならない場合もある）。図１に示されるように、６０ａおよび６０ｂのための成形材料との同じ（または類似）である、ストップ７０の成形材料は、プラグ９０に向かって下へテーパ状になり得、または他の適切な構成であり得る。他の適切なストップは、本明細書において容易に考えられる。
【００２２】
さらに、図２に示されるように、ヘッドホン１３０ａと１３０ｂ、およびそれらのキャスティング１２０ａと１２０ｂの両方は、外側被覆材料６０ａと６０ｂによってカプセル化され得る／封入され得る。ジッパーが使用されるいくつかのインプリメンテーションに従って、柔軟性のあるジッパー補強材料１４０ａと１４０ｂは、ヘッドホンキャスティング１２０ａと１２０ｂの周りに巻かれ得、また外側被覆材料６０ａと６０ｂによってカプセル化され得る／封入され得る。ジッパー補強材料１４０ａおよび１４０ｂは、任意の適切な柔軟性のある材料、例えば、ＹＫＫ（登録商標）によって製造されるＡＱＵＡＧＵＡＲＤ（登録商標）を含む織物で作られ得る。単一のプロセスにおいて、ワイヤ１３０ａと１３０ｂ、それらのキャスティング１２０ａと１２０ｂ、およびジッパー補強材料４０ａと４０ｂを外側被覆材料６０ａと６０ｂでカプセル化するのは、製造ステップを効率的に最小限にし得る。
【００２３】
アセンブリ１００を製造するために、型は、所望の場合に、ヘッドホンワイヤ１３０ａと１３０ｂからイヤホン１０ａと１０ｂまでをカプセル化するように構成され得る。代替的には、型は、外側被覆がイヤホン１０ａと１０ｂの前に終了し、ヘッドホンワイヤキャスティング１２０ａと１２０ｂがその全体の長さの一部分に対して簡単に露出され得るように構成され得る。次にジッパー補強材料１４０ａと１４０ｂは、ヘッドホンワイヤキャスティング１２０ａと１２０ｂの周りに巻かれ得、型内に配置され得る。ゴムまたは他の適切な材料は、型に加えられ得、最終のアセンブリを形成するように硬化させられ得る。
【００２４】
図３は、本発明のいくつかのインプリメンテーションに従う使用時のジッパーイヤホンケーブルアセンブリを示す透視図を例示する。解放可能な取り付け手段が、自身によってヘッドホンワイヤ２０ａおよび２０ｂに追加の重量を加えるので、いくつかのインプリメンテーションは、イヤホン１０ａおよび１０ｂが、ユーザーの耳から取り出されるときに、下に向いて速く落下することを防ぐための手段の使用を含み得る。補完的な両極性の磁石２１０ａと２１０ｂ、または解放可能な取り付けのための他の手段は、イヤホン１０ａと１０ｂの上かまたは近傍に、例えば、歯のない領域２０ａと２０ｂにおいて使用され得る。図３に示されるように、ユーザーがその耳からイヤホン１０ａおよび１０ｂを取り外すときに、ユーザーは、磁石２１０ａおよび２１０ｂまたは解放可能な取り付けのための手段、例えば、クリップ、スナップ、フックおよびループファスナー等を用いることによって、イヤホン１０ａおよび１０ｂ（またはケーブル８０ａおよび８０ｂ）をユーザーの頸の後ろに一緒に接続し得る。耳フックまたは類似なデバイスはまた、スポーツ活動のような状況においてイヤホンの安定性を確保するために、いくつかのインプリメンテーションに提供され得る。
【００２５】
図４は、本発明のいくつかのインプリメンテーションに従う第２の代替的なジッパーイヤホンケーブルアセンブリ３００の透視図を例示する。第２の代替的なジッパーイヤホンケーブルアセンブリ３００の設計は、外側被覆材料６０ａと６０ｂが第１のイヤホンワイヤ３２０ａと第２のイヤホンワイヤ３２０ｂを部分的にのみ覆い得るので、前述の第１のジッパーイヤホンケーブルアセンブリ１００と相違し得る。所望の場合に、第１のジッパーイヤホンケーブルアセンブリ１００の特徴は、容易に第２のジッパーイヤホンケーブルアセンブリ３００と互換し得る。第１のイヤホンワイヤ３２０ａと第２のイヤホンワイヤ３２０ｂは、外側被覆材料６０ａと６０ｂ内に部分的に成形され得る。各ケーブル８０ａと８０ｂは、ジッパーの歯４０ａと４０ｂを含み得、または互いに解放可能な取り付けのための他の適切な手段を含み得る。解放可能な取り付けのための手段を開き、閉じるためのジッパータブまたはスライダ５０または他の手段も提供され得る。各ケーブル８０ａと８０ｂは、より柔軟性のある動きおよび減少された重量を可能にするために、リブ１１０ａと１１０ｂを含み得る。さらに、２つの溝２００ａと２００ｂは、解放可能な取り付けのための手段（例えば、ジッパー４０ａと４０ｂ）に平行に、または実質的に横切り得る。ジッパーに加えて、取り付けのための他の適切な手段は、小さな磁石、ＺＩＰＬＯＣ（登録商標）型閉鎖等を含み得る。あるインプリメンテーションは、本明細書に提供されるアセンブリを有するＶＥＬＣＲＯ（登録商標）のような粗いフックおよびループファスナーが、オプションな特徴としてユーザーの皮膚に磨耗になり得るので、それらの使用を明確に除外し得る。アセンブリ３００を作るための型は、イヤホンワイヤ３２０ａと３２０ｂの全体の長さの一部分を覆うように構成され得、図２に対して例示され、かつ説明された同じまたは類似な断面を有し得る。従って、図１および図２に対して説明されたアセンブリを作る方法はまた、この特定のインプリメンテーションに適用され得る。
【００２６】
図５は、本発明のいくつかのインプリメンテーションに従う第２の代替的なジッパーイヤホンケーブルアセンブリ３００の拡大図を例示する。
【００２７】
図９は、本発明のいくつかのインプリメンテーションに従う第３のジッパーイヤホンケーブルアセンブリ７００の拡大図を例示する。第１のジッパーイヤホンケーブルアセンブリ１００および第２のジッパーイヤホンケーブルアセンブリ３００と対照的に、第３のジッパーイヤホンケーブルアセンブリ７００は、明確に仕上げの形の外側被覆材料６０ａおよび６０ｂを有しない場合もある。幾分、スライダ５０を用いて動作可能に一緒に締め、離すように構成され得る補完的なジッパーの歯４０ａと４０ｂは、図１１によって示されるように、ケーブル８０ａと８０ｂ上に直接に位置決めされ得、図１１は、本発明のいくつかのインプリメンテーションに従う第３のジッパーイヤホンケーブルアセンブリ７００の拡大図を例示する。上記のインプリメンテーションに類似して、ジッパーイヤホンケーブルアセンブリの第３のインプリメンテーション７００は、低い方のジャック９０に動作可能に連結される耳差込１０ａおよび１０ｂのような２つのヘッドホンを含み得る。
【００２８】
図１０は、本発明のいくつかのインプリメンテーションに従うジッパーイヤホンケーブルアセンブリ（１００、３００、４００、５００、６００、および７００（これらのうちのいくつかが以下に説明されるが、その他が前述である）のうちの少なくとも１つ）の代表的な耳差込１０ａを例示する。具体的なインプリメンテーションに従って、耳差込１０ａは、薄い材料で作られ、ユーザーの耳内に嵌め、かつ音を伝送するように構成される角度を付けられた延長部１３ａに連結される振動板１１ａを含み得る。延長部１３ａおよび１３ｂは、着用の間にユーザーの耳に向かって角度を付けられ得、それによって、ジッパーの歯４０ａと４０ｂ、およびスライダ５０がケーブル８０ａと８０ｂに加える（従来のヘッドホンの重量と比較された）追加の重量のために、差込１０ａと１０ｂがユーザーの耳の外に落下することを防ぐ利点を提供する。補完的な両極性の磁石２１０ａと２１０ｂ、または解放可能な取り付けのための他の手段は、イヤホン１０ａと１０ｂの上かまたは近傍に使用され得る。図３に例示されるように、ユーザーがユーザーの耳からイヤホン１０ａおよび１０ｂを取り外すときに、磁石２１０ａおよび２１０ｂまたは解放可能な取り付けのための手段、例えば、１つ以上のクリップ、スナップ、フックおよびループファスナー等を用いることによって、イヤホン１０ａおよび１０ｂ（またはケーブル８０ａおよび８０ｂ）をユーザーの頸の後ろに一緒に接続し得る。代表的な耳差込１０ａおよび１０ｂが説明されるが、当業者は、他の適切なイヤホン、例えば、従来の耳差込が代わりに使用され得ることを理解する。
【００２９】
本明細書に説明され、第３のジッパーイヤホンケーブルアセンブリ７００を含むアセンブリは、ジッパーの歯４０ａ上の第１のケーブル８０ａ上に位置決めされる音量コントロール１０００をオプションに含み得る。音量コントロール１０００は、ケーブル８０ａの内部の配線に動作可能に連結され得、著しいオーディオ信号が耳差込１０ａおよび１０ｂに伝送されないように、音量を増大し／減少し、そして／または音量を完全に消すように構成される外部のコントロール機構を含み得る。音量コントロール１０００は、ユーザーによって利用可能であり得、かつ使用され得る。音量コントロール１０００はまた、第２のケーブル８０ｂ上に位置決めされ得る。
【００３０】
図１１は、以上のように、本発明のいくつかのインプリメンテーションに従う第３のジッパーイヤホンケーブルアセンブリ３００の拡大図を例示する。
【００３１】
図１２〜図１８は、組立技術を用いて、ジッパーイヤホンケーブルアセンブリの第３のインプリメンテーション７００を製造する方法を例示する。このような組立技術は、射出成形を含み得、より具体的に、プラスチックの射出成形を含み得る。成形は、剛性フレームを用いて柔軟な未処理の材料を形状化することによる製造プロセスであり得る。本明細書において射出成形が説明されるが、他の組立技術、例えば、圧密成形、圧縮成形、拡張可能なビード形成、押出成形、発泡成形、積層法、マッチドダイ成形、マトリックス成形、プレスプラグアシスタント成形、回転成形、トランスファー成形、熱成形、真空成形、および真空フラグアシスタント成形も可能である。さらに、本明細書において成形が説明されるが、他の製造／組立技術、例えば、鋸引き、剪断、彫刻、打撃、（接着剤、ねじ、リベット等のうちの少なくとも１つを用いる）結合、機械加工、鍛造、鋳造等も可能である。これらの述べた技術は、適宜に、単独かまたは適切な組み合わせで使用され得る。
【００３２】
図１２は、本発明のいくつかのインプリメンテーションに従って型７０２に配置される２つのイヤホンケーブル８０ａおよび８０ｂの正面図を例示する。
【００３３】
図１３は、本発明のいくつかのインプリメンテーションに従って２つのケーブル８０ａと８０ｂ上の射出成形されたジッパーの歯４０ａと４０ｂ、および余分の成形の正面図を例示する。
【００３４】
図１４は、本発明のいくつかのインプリメンテーションに従ってジッパーの歯４０ａおよび４０ｂから切り離された余分の成形の正面図を例示する。
【００３５】
図１５は、本発明のいくつかのインプリメンテーションに従って１８０度で回転されたジッパーの歯４０ａおよび４０ｂを示す正面図を例示する。
【００３６】
図１６は、本発明のいくつかのインプリメンテーションに従って一緒に締められたジッパーの歯４０ａおよび４０ｂを示す正面図を例示する。
【００３７】
射出成形は、熱可塑性および熱硬化性プラスチック材料から構成要素を生成するための製造プロセスである。射出成形において、材料は、加熱されたバレル／ツール内に供給され得、混ぜられ得、そして型のキャビティ内に押し込まれ得、材料は、冷却し、そして型のキャビティの構成に対して硬化する。例えば、ポリアセタール（ＰＯＭ）ジッパー樹脂は、型のキャビティを完全に充満させるために、高圧力でケーブルジャックの上のツール内に押し込まれ得る。ジッパーの歯４０ａおよび４０ｂは、熱可塑性材料で作られ得る。熱可塑性材料は、加熱されるときに液体状態であり、次に冷却した後に固体状態に固化するポリマーを含み得る。熱可塑性材料のいくつかの例は、ポリアセタール、ポリエチレンおよびポリプロピレンを含み得る。好都合には、自己潤滑プラスチック、例えば、ポリアセタール（ＰＯＭ）およびポリプロピレン（ＰＰ）は、スナッグフリーのジッパー動作のために使用され得る。ポリアセタール（ＰＯＭ）は、その強さおよび広い許容温度のために有利に使用され得る。
【００３８】
図１２に例示されるように、第１のケーブル８０ａと第２のケーブル８０ｂは、最終のジッパーの歯４０ａと４０ｂの形のキャビティ７０４ａと７０４ｂを有する型７０２内に位置決めされ得る。ケーブル８０ａおよび８０ｂは、射出成形されるプラスチックが、所定の間隔に応じてそれらを結合することを可能にするのに十分に教示された（ただし、過度に教示されない）張りで保持され得、またはクランプされ得、過度の張りは、ケーブル８０ａおよび８０ｂの内部のワイヤまたは外側のカバーが離れて破れ、または損傷を受けることを引き起こし得る。射出成形の間に、ケーブル８０ａおよび８０ｂは、まっすぐ（または実質的にまっすぐ）に保たれ得、その結果、ケーブル８０ａおよび８０ｂのキンクが、避けられ得る／最小限にされ得る。ケーブル８０ａおよび８０ｂをまっすぐに保つために、強い張力が使用され得る。射出成形の間にケーブル８０ａおよび８０ｂを保持するための張りの範囲は、３ｋｇの逆張りから２０ｋｇの逆張りまでの範囲にあり得、１つのインプリメンテーションにおいて、張力は、最大１０ｋｇの逆張りであり得る。ケーブル８０ａおよび８０ｂ上の強い張力が、張りの所定の許容限度を超過した場合に、強い張りは、高められた温度においてそのケーブル８０ａおよび８０ｂ上に強烈な負荷を強い得る。この強烈な負荷は、ケーブル８０ａおよび８０ｂが過度にストレスを受け、または損傷を受けることを引き起こし得る。このようなストレスおよび／または損傷を避けるために、張力計および／または負荷セルは、張りを測定し、張りが所定の許容限度以下にとどまることを確保するために使用され得る。所定の許容限度は、ケーブル８０ａおよび８０ｂの引っ張りの強度を特徴付け得、引っ張りの強度は、形成状態に関連する所定の温度（例えば、２００℃）に対して比率にされ得る。この比率は、容易に利用可能であり、その結果、この比率は、張りが許容限度以下に保つために読み取られ得る。
【００３９】
形成プロセスに関連する高い温度（例えば、２００℃）において、この高温のために、ジッパーの歯を取り付けることは、きびしい熱のストレスを提供し得る。さらに、このような高い温度（例えば、２００℃）において、ケーブル８０ａおよび８０ｂ張りの強度は、相対的に減少され得る。いくつかの熱可塑性プラスチック、例えば、（ＤＥＬＲＡＮブランドポリアセタールを含む）ポリアセタール（ＰＯＭ）の場合に、射出成形の温度は、約２００℃まで加熱され得る。追加のツーリングを介してプラスチックを位置決めすることは、ケーブル８０ａおよび８０ｂが、しばしば教示されるように、クランプされ得、または引っ張られ得るときに、ケーブル８０ａおよび８０ｂに極度のストレスを受けさせ得る。従って、強い張力のためのケーブル８０ａおよび８０ｂの破損／損傷に加えて、破損／損傷は、ケーブル８０ａおよび８０ｂの強度の損失のために引き起こされ得、強度の損失は、成形アプローチに関連する高温、または液体ガラス転移に関連するプラスチックガラス状態（Ｔｇ）を超過する高温のために引き起こされ得る。ケーブル８０ａおよび８０ｂのこの破損／損傷を防ぐために、強化繊維、構成された正確な張り、および高温許容のケーブル絶縁材料が使用され得る。さらに、ケーブル８０ａおよび８０ｂ外側のジャケット／カバーは、この外側のジャケット／カバーが上記の高温を許容し得るように使用され得る。これらの材料および性質は、製造のストレスを克服するのに有用であり、またそれらの材料および性質が、ケーブルアセンブリが消費者に使用されるときにより耐久であることを可能にするので有用である。
【００４０】
図１７は、本発明のいくつかのインプリメンテーションに従って同じの２つのケーブル８０ａおよび８０ｂ上に射出成形された複数のジッパーの歯のユニットの透視図を例示する。
【００４１】
図１８は、本発明のいくつかのインプリメンテーションに従うジッパーユニットの下に配置されるジッパー底部１０１０を例示する。
【００４２】
図１９は、本発明のいくつかのインプリメンテーションに従う第３のジッパーイヤホンケーブルアセンブリのケーブル８０ａ（８０ｂでもあり得る）の断面図を例示する。この断面図は、内部の配線および外側のカバーの両方を示す本明細書の教示に従って使用され得る。いくつかの代表的なインプリメンテーションに従って、ケーブル８０ａおよび８０ｂは、編組ナイロンのような外側表面９００を含み得る。より具体的には、外側表面９００は、耐熱であり得る伸加工糸（ＤＴＹ）の形であり得る。外側のカバーとして編組ナイロンの使用は、編組ナイロンが弾性であり、射出成形に関連する熱に対して耐熱であるので、好都合であり得る。さらに、編組ナイロンの加工は、平坦なケーブルの外側表面、例えば、ゴムと対照的に、ジッパーの歯４０ａおよび４０ｂがよりよく取り付けることを可能にし得る。外層９００の平均厚さは、約０．１５ｍｍであり得る。外層９００の外径は、１．３５ｍｍと１．６５ｍｍとの間にあり得、またはより具体的に、１．５ｍｍ、または１．３５ｍｍ〜１．４ｍｍであり得る。
【００４３】
内層９０２も使用され得る。内層９０２は、弾性の性質を有する材料、例えば、熱可塑性エラストマー（ＴＰＥ）、より具体的に、押出熱可塑性エラストマー（ＴＰＥ）を含み得る。押出熱可塑性エラストマーは、熱可塑性およびエラストマーの性質の両方有する材料を含み得る共重合体またはポリマー（通常に、プラスチックおよびゴム）の物理的混合を含み得る。強化繊維９０８はまた、組立および機能が従来のイヤホンケーブルより強い引っ張りの強度を必要とし得るので、ケーブル８０ａおよび８０ｂに対して強度を加えるために使用され得る。代表的な材料は、ＫＥＶＬＡＲのようなアラミドを含む。ケブラーは、２００Ｄ  ＫＥＶＬＡＲ、３００Ｄ  ＫＥＶＬＡＲ、および４００Ｄ  ＫＥＶＬＡＲを含む２００Ｄ−４００Ｄ  ＫＥＶＬＡＲであり得る。本明細書において説明されるアラミドは、ｍ−アラミドおよびｐ−アラミドを含む。ｐ−アラミドの例は、ＫＥＶＬＡＲ、ＴＥＣＨＮＯＲＡ、ＴＷＡＲＯＮ、およびＨＥＲＡＣＨＲＯＮであり得る。ｍ−アラミドの例は、ＮＯＭＥＸであり得る。アラミドの具体的な例が本明細書において提供されるが、これらの例に類似する性質を有する他の材料も使用され得る。ジャック９０から耳差込１０ａおよび１０ｂまで音を伝送するように構成されるオーディオワイヤ９０４は、ケーブル８０ａおよび８０ｂ内に位置決めされ得る。代表的なオーディオワイヤ９０４は、絶縁材料９０６、例えば、ナイロンシルクによって囲まれ得る銅のワイヤを含み得る。本明細書の教示を用いて、当業者は、端部から端部まで（耳差込１０ａからジャック９０まで）少なくとも最大１５ｋｇのトルクを耐えるジッパーイヤホンケーブルアセンブリ７００を製造し得る。
【００４４】
一旦所望のように型７０２内に位置決めされると、加熱された液体材料は、型７０２内に入れられ得、それにより、入れられた、加熱された液体材料は、ケーブル８０ａおよび８０ｂを囲み得、そして歯の形状のキャビティ７０４ａおよび７０４ｂを充満し得る。セットすることが可能にされた後に、図１３に例示されるように、結果として生じたアセンブリは、それぞれのケーブル８０ａと８０ｂに束ねられたジッパーの歯４０ａと４０ｂに取り付けられ得る余分の成形材料７０６を含み得る。図１３および図１４に示されるように、ジッパーの歯４０ａおよび４０ｂは、射出成形材料が硬化した後に、互いから離れて外側に向かって面し得る。この余分の成形材料７０６は、不要であり得、図１４に対して説明されるように、切るツーリングを用いることによって、または手で切ることによって除去され得る。不要の成形７０６が除去された後に、残ったジッパーの歯４０ａと４０ｂは、互いから切断され得／分離され得、それらのそれぞれのケーブル８０ａと８０ｂ上にセットされ得る。図１５に例示されるように、ジッパーの歯４０ａおよび４０ｂは、容易に１８０度に回転され得、それにより、ジッパーの歯４０ａおよび４０ｂは、取り付けられるジッパースライダ５０を用いて（図１６に対して説明されるように）一緒に締め、外すように互いに面する。他のインプリメンテーションにおいて、ジッパーの歯のキャビティは、型において互いに面し得、任意の余分の成形は、同様に切り取られ得る。任意の適切な方法を用いることによってジッパーの歯４０ａおよび４０ｂ上にスライダ５０を設置した後に、２つの上部のストップは、スライダが上部から滑り落ちることを防ぐために、歯４０ａおよび４０ｂの列の上部に配置され得る。図１８に例示されるように、ストップ１０１０は、２セットの歯４０ａおよび４０ｂの底部にも配置され得、ジッパースライダ５０が歯の底部から滑り落ちることを防ぐように構成され得る。所望の場合に、装飾的カバーは、底部ストップ１０１０上に配置され得る。
【００４５】
図１７に例示されるように、複数のジッパーユニット７０８は、従業員および／またはツーリングのアセンブリラインを用いる大量生産の使用を介して同じの２つのケーブル８０ａおよび８０ｂ上にセットされ得る。より具体的に、ケーブル８０ａおよび８０ｂのスプールは、前述の製造ステップを通して動くように構成され得る。十分なケーブル間隔は、ヘッドホンの取り付け、例えば、耳差込１０ａと１０ｂ、およびジャック９０を可能にするように、ジッパーユニット７０８の間に提供されるべきである。一旦ジッパーユニット７０８が完成された後に、ケーブル８０ａおよび８０ｂは、所望の長さで切られ得、耳差込１０ａと１０ｂ、音量コントロール１０００、およびジャック９０のような追加のパーツは、任意の適切な製造方法を用いて設置され得る。
【００４６】
単独型の他に、本明細書に説明されるようなジッパーイヤホンアセンブリはまた、代替的に、衣料品、例えばジッパー式のジャケットまたはスウェットシャツに直接に利用され得る。ジッパーケーブル化のアセンブリは、本明細書に説明されるように製造され得、次に、縫うことまたはフックおよびループファスナー、クリップ、スナップ等を含む他の締め付け手段によって衣料品に取り付けられ得る。オーディオジャックは、ジッパーの底部において露出され得るかまたは衣料品のポケット内に位置決めされ得、それにより、ユーザーは、オーディオジャックをポータブルオーディオプレーヤーに取り付け得る。１つのインプリメンテーションに従って、ヘッドホンアセンブリの両方のケーブルは、それらに取り付けられたジッパーの歯を有し得、ジャケットまたはスウェットシャツのような１つの衣料品のジッパーを規定し得る。
【００４７】
ポイント１００４ａおよび１００４ｂの上の位置（他のジッパーケーブルアセンブリにとって対応する位置）において、解放機構がインプリメントされ得る。解放機構を用いて、ユーザーは、衣料を洗い、そして／または乾かす前に、ジッパーイヤホンケーブルアセンブリ（１００、３００、４００、５００、６００、および７００のうちの少なくとも１つ）に取り付けられた電子（または他の機械）部品（例えば、マイクロホン、リモコン、耳差込等）をそれらの衣料から好都合に解放し得る／取り外し得る。いくつかのインプリメンテーションにおいて、解放機構は、ジッパーイヤホンケーブルアセンブリ（１００、３００、４００、５００、６００、および７００のうちの少なくとも１つ）を取り付けられたデバイス（例えば、衣料）から解放するために、ユーザーによって使用されるように構成される。従って、ジッパーイヤホンケーブルアセンブリ（１００、３００、４００、５００、６００、および７００のうちの少なくとも１つ）は、衣料を洗い、そして／または乾かす前に、衣料から取り外され得る／解放され得る。解放機構は、電子的機構または機械的機構であり得る。使用され得る解放機構の例は、ジッパー、フック、掛金、スナップ、パッドロック、３ディスク（ｔｈｒｅｅ−ｄｉｓｃ）ロック、カムロック、ノーフォーク（Ｎｏｒｆｏｌｋ）掛金、サーフォーク（Ｓｕｆｆｏｒｋ）掛金、クロスバー、キャビンフック、ボルトロック掛金、圧縮掛金、引抜き掛金、回転掛金、チェーン、磁石ロック、電気ラッチリリース、電子コードベースリリース等である。ポイント１００４ａおよび１００４ｂの上の位置は、この位置がマイクロホン、リモコン等の他の取り付けられた電子部品に近くあり得るので、好都合である。さらに、ポイント１００４ａおよび１００４ｂの上の位置は、解放機構が使用される必要があるときに、ユーザーによってより容易に利用可能であり得る。ポイント１００４ａおよび１００４ｂの上の位置が説明されるが、ジッパーイヤホンアセンブリ（１００、３００、４００、５００、６００、および７００のうちの少なくとも１つ）上の任意の他のポイントのような他の位置は、（ジッパーイヤホンケーブルアセンブリに取り付けられた）マイクロホン、リモコン、耳差込等のような取り付けられた部品の位置に基づいて使用され得る。
【００４８】
いくつかのインプリメンテーションにおいて、耳差込および他のパーツは、防水、耐熱、および耐久であり得、その結果、それらの耳差込および他のパーツは、衣料洗濯機からの水から、乾燥機（例えば、衣料乾燥機器）からの熱から保護され得る。いくつかのインプリメンテーションに応じて、耐熱の熱可塑性プラスチック、例えば、ポリアセタールＰＯＭまたはポリカーボネート（ｐｃ）等は、ケーシングのために使用され得、その一方で、疎水性メッシュまたは薄膜は、通気するために使用され得る。本明細書において、用語「耐熱」は、高温で熱成形可能であることを意味し得る。すなわち、耐熱材料は、高温、高ストレス、高圧、および他の同様の過激な条件のうちの少なくとも１つ（を耐え得る）に対して耐性のある材料であり得る。さらに、高温の耐性のある材料、例えば、ポリエーテルイミド（ＰＥＩ）、ポリエーテルエーテルケトン（ＰＥＥＫ）等は、振動板材料として使用され得る。
【００４９】
いくつかの他のインプリメンテーションにおいて、耳差込は、防水のみであり得、衣料品は、機械乾燥を避ける（または避けない）ための説明書きを含み得る。従って、ユーザーは、組み込まれた防水の耳差込と共に衣料品を洗い得、次に、洗った衣料を乾燥機（例えば、衣料乾燥機器）に関連する熱にさらすことより、むしろ乾燥させるために外に洗った衣料を掛け得る。
【００５０】
図８は、本発明のいくつかのインプリメンテーションに従って、解放可能なファスナーとして磁石２５０ａおよび２５０ｂを利用するイヤホンケーブルアセンブリ４００の透視図を例示する。イヤホンケーブルアセンブリ４００は、ケーブル８０ａと８０ｂに沿って間隔を空けられた複数の小さな補完的磁石２５０ａと２５０ｂの使用を対象とする非ジッパー化のケーブルアセンブリであり得、磁石２５０ａおよび２５０ｂは、ケーブル８０ａおよび８０ｂが、互いに接続し、解放することを可能にし得る。磁石２５０ａと２５０ｂは、外側被覆材料６０ａと６０ｂ内に組み込まれ得、それにより、磁石２５０ａと２５０ｂは、成形から外へ延長し、外側被覆材料６０ａと６０ｂの外側に位置決めされ、またはケーブル上に直接にそれらを使用される。
【００５１】
拡張可能なケーブル管理システム
追加のインプリメンテーションに従って、図６ａ、図６ｂ、図７ａ、図７ｂ、および図７ｃに例示されるように、ケーブル管理システムは、追加タイプのケーブルの絡みを防ぐために使用され得る。より具体的には、図６ａ、図６ｂ、図７ａ、図７ｂ、および図７ｃは、２つ以上のワイヤを圧縮し得、延ばし得るケーブル管理システムを例示する。これらのアセンブリは、スピーカワイヤ、Ａ／Ｖワイヤ、ゲームワイヤ、コンピュータワイヤ等の絡みを防ぐのに有用であり得る。これらのアセンブリはまた、赤ちゃんにとって安全な家庭用ワイヤに使用され得、他にワイヤの一般的な解体を防ぐように使用され得る。さらに、このようなケーブル管理システムは、イヤホンワイヤと共に使用され得る。
【００５２】
図６ａおよび図６ｂは、ケーブル管理アセンブリ５００を例示し、ケーブル管理アセンブリ５００は、その圧縮された長さの２倍（または実質的に２倍）に拡張し得る。図６ａは、圧縮された状態にあり、かつ２つの内部チャンネル５４０ａおよび５４０ｂを有するアセンブリ５００を例示し、各チャンネルは、少なくとも１つのワイヤ５１０ａおよび５１０ｂを保持するように構成され得る。代替的には、アセンブリは、１つ以上（例えば、１、２、３、４、５以上）のチャンネルを含み得、各チャンネルは、少なくとも１、２、３、４、５以上のワイヤを収容するように構成される。解放可能な取り付けのための手段を有するトラック５５０は、アセンブリ５００を２等分に分け得る。１つのインプリメンテーションにおいて、ジッパートラックは、使用され得、ジッパータブ５０を介して開かれ得、閉じられ得る。代替的には、軽い磁石、または他の解放可能な手段は、アセンブリ５００を２等分に分けるために使用され得る。アセンブリは、柔軟性のある材料、例えば、ゴムまたは織物で作られ得、その結果、２等分は、互いの上に折りたたまれ得、その結果、２等分は、解放可能な取り付け／連結が可能である。図６ｂは、拡張された／長くなった構成にあるアセンブリ５００を例示する。解放可能な取り付けのための手段が解放される場合に（例えば、ジッパートラックが開けられる場合に）、アセンブリ５００は、圧縮された構成の長さの２倍になるように外へまっすぐになることを可能にされ得る。
【００５３】
同様に、図７ａ、図７ｂ、および図７ｃは、ケーブル管理アセンブリ６００を例示し、ケーブル管理アセンブリ６００は、圧縮された形からその大きさの３倍に拡張し得る。図７ａは、３つの類似または同等の大きさの部分に分離される、圧縮されたアセンブリ６００を例示し、各部分は、解放可能な取り付けのための手段を有するトラック６４０ａおよび６４０ｂによって分けられ得る。より具体的には、第１のトラック６４０ａは、第１の部分と第２の部分を分け得、その一方で、第２のトラック６４０ｂは、アセンブリ６００の第２の部分と第３の部分を分け得る。１つのインプリメンテーションのように、ジッパートラックは、トラック６４０ａおよび６４０ｂのために使用され得、ジッパータブ５０ａおよび５０ｂを介して開かれ得、閉じられ得る。代替的には、軽い磁石、または他の解放可能な手段は、アセンブリ６００の３つの部分を分けるために使用され得る。アセンブリ６００は、２つの内部チャンネル６６０ａおよび６６０ｂを含み得、チャンネルの各々は、少なくとも１つのワイヤ６１０ａおよび６１０ｂを保持するように構成される。代替的には、アセンブリ６００は、１つ以上（例えば、１、２、３、４、５以上）のチャンネルを含み得、各チャンネルは、少なくとも１、２、３、４、５以上のワイヤを収容するように構成され得る。アセンブリ６００は、好ましくは、ゴムまたは織物のような柔軟性のある材料から作られ、その結果、３つの部分は、図７ａおよび図７ｂに例示されるように、互いの上に折りたたまれ得、解放可能な取り付け／連結が可能である。図７ｂは、半拡張された構成にあるアセンブリ６００を例示し、この構成において、第１の部分は、第２の部分から解放され（トラック６４０ａが解放され）、しかし第２の部分は、第３の部分に連結される（トラック６４０ｂが閉じられる）。図７ｃは、完全に拡張された構成にあるアセンブリ６００を例示し、第２のトラック６４０ｂが開かれる（例えば、開けられる）ときに、アセンブリ６００が開かれる。図７ｃに例示される、完全に拡張された構成は、図７ａに例示される、圧縮された構成の長さの３倍（または実質的に３倍）であり得る。アセンブリ５００および６００に対する前述は主に、より高次の圧縮されたケーブル管理アセンブリ、例えば、それらの圧縮された長さの４倍（４ｘ）、５倍（５ｘ）、６倍（６ｘ）、７倍（７ｘ）、８倍（８ｘ）、９倍（９ｘ）、１０倍（１０ｘ）、またはより大きい倍数に拡張され得るケーブル管理アセンブリを作るために拡張され得る。これらのアセンブリはまた、それらの柔軟性を増大するために、側面リブを含み得る。
【００５４】
追加のインプリメンテーションは、前述のいくつかのインプリメンテーションに対して２つ以上のワイヤを覆うための外層のような、１つ以上のチャンネルを有する織物を用いることに対象とし得る。織物は、織物が非常に軽量かつ高い柔軟性があり得るように、ある設計のために使用され得る。より具体的には、ジッパー補強材料、例えば、ＹＫＫ（登録商標）によって製造されたＡＱＵＡＧＵＡＲＤ（登録商標）は、ケーブル管理アセンブリの所望の性質に依存して、上記のインプリメンテーションを利用するワイヤを覆い、かつ管理するために使用され得る。このインプリメンテーションは、２つのケーブルの間の解放可能な取り付けのための手段として、ジッパーに組み込むことをより簡単になり得る。
【００５５】
本明細書に述べられたケーブル８０ａおよび８０ｂは、低いマイクロホニックスに対して最適化され得、マイクロホニックスは、機械的振動が望まれていない電気信号（ノイズ）に変形されることに応じる現象である。低いマイクロホニックスは、１つ以上のエラマストラーおよび／または結びつけたコットンベース湿し繊維をケーブル８０ａおよび８０ｂに加えることによって達成され得る／最適化され得る。１つ以上のエラマストラーおよび／または結びつけたコットンベース湿し繊維は、従来のケーブルに使用される他の繊維の重い重量のために引き起こされ得る耳に追加の引っ張りを除く。さらに、ケーブル８０ａおよび８０ｂに関連する１つ以上のエラマストラーおよび／または結びつけたコットンベース湿し繊維は、最小限のノイズ（望まれていない音）がユーザーの耳に到達するように、最大限の可能なノイズを取り消すことが可能にする。さらに、これらのケーブルは、高い柔軟性があり、垂れ掛けられ得る。さらに、これらのケーブルは、オーディオ信号が最小限に減衰されるように、低い直流（ＤＣ）抵抗を有する／特徴付ける。
【００５６】
耳差込を有するイヤホンが本明細書において説明されるが、耳の周囲に付ける（ｃｉｒｃｕｍ−ａｕｒａｌ）ヘッドホン（ユーザーの耳を包む円形または楕円形のイヤパッドを含むイヤホン）、フルサイズイヤホン、耳の上部に付ける（ｓｕｐｒａ−ａｕｒａｌ）ヘッドホン（ユーザーの耳の上部に位置決めされるパッドを含むイヤホン）、後方開放（ｏｐｅｎ−ｂａｃｋ）ヘッドホン、後方閉鎖（ｃｌｏｓｅｄ−ｂａｃｋ）ヘッドホン、インイヤイヤホン（または、耳道に挿入され得る耳道ホン）、音声信号を受信するような音声処理を行い得る、取り付けられたマイクロホンを有するヘッドホン、電話ヘッドセット、セルラーホンヘッドセット等も可能である。さらに、柔軟性のあるワイヤは、耳差込に関連するように説明されるが、剛性または半剛性材料は、固定の向きで差込または同様のデバイスを保持するために使用され得る。いくつかのインプリメンテーションにおいて、剛性／半剛性材料は、鉄、スチール、プラスチック等であり得る。
【００５７】
本発明は、本明細書に説明される実施形態を除いて、超えて、他の具体的な形式で実施され得る。さらに、上記説明において述べられたインプリメンテーションは、本明細書において説明された本発明に一致する全部のインプリメンテーションを示さない。代わりに、それらは、単に、説明された本発明に関連する側面に一致するいくつかの例である。少数のバリエーションは、上記詳細に説明されるが、他の変更または追加が可能である。特に、さらなる特徴および／またはバリエーションは、本明細書において述べられたそれらに加えて提供され得る。例えば、前述のインプリメンテーションは、開示された特徴のさまざまな組み合わせおよびサブ組み合わせ、および／または上に開示された、いくつかのさらなる特徴の組み合わせおよびサブ組み合わせを対象とし得る。加えて、本明細書に説明された論理フローは、所望の結果を達成するために、必ずしも示された特定の順序、または連続的な順序を必要としない。他のインプリメンテーションは、以下の請求項の範囲内にあり得る。
【図１】
0005327764.tif 000002
【図２】
0005327764.tif 000003
【図３】
0005327764.tif 000004
【図４】
0005327764.tif 000005
【図５】
0005327764.tif 000006
【図６ａ】
0005327764.tif 000007
【図６ｂ】
0005327764.tif 000008
【図７ａ】
0005327764.tif 000009
【図７ｂ】
0005327764.tif 000010
【図７ｃ】
0005327764.tif 000011
【図８】
0005327764.tif 000012
【図９】
0005327764.tif 000013
【図１０】
0005327764.tif 000014
【図１１】
0005327764.tif 000015
【図１２】
0005327764.tif 000016
【図１３】
0005327764.tif 000017
【図１４】
0005327764.tif 000018
【図１５】
0005327764.tif 000019
【図１６】
0005327764.tif 000020
【図１７】
0005327764.tif 000021
【図１８】
0005327764.tif 000022
【図１９】
0005327764.tif 000023